(57)【要約】【課題】  移動体端末に対して無駄な情報を配信することを防止した観光情報配信装置および観光情報配信システムを提供する。【解決手段】  ガイド内容記録装置２２ｂには、観光地に存在する複数の観光対象に関するガイド内容が格納されている。利用者は、ネットワーク５０を介して予め上記複数の観光対象のうちから、ガイド内容の配信を希望する観光対象のみを選択し、「個人情報」として処理部２１に送信する。処理部２１は、ネットワーク５０を介して移動体端末１０から自動的に送信される、利用者の現在の位置情報に基づいて個人情報記録装置２２ｃおよびガイド内容記録装置２２ｂを検索し、希望された観光対象のみに関するガイド内容を移動体端末１０に配信する。【選択図】  図１
2005157977.tif 000002
【特許請求の範囲】
【請求項１】
観光地に存在する複数の観光対象に関するガイド内容が登録されたガイド内容記録装置と、移動体端末からネットワークを介して送信された利用者の位置情報を取得し、前記利用者の位置情報に基づいて前記ガイド内容記録装置から前記位置情報に対応する前記ガイド内容を読み出し、前記ネットワークを介して前記移動体端末に前記読み出されたガイド内容を配信する処理部とを備えた観光情報配信装置において、
前記複数の観光対象のうちから選択され、前記利用者がそのガイド内容の配信を希望する観光対象についての情報を含む個人情報が登録される個人情報記録装置を備え、
前記処理部が、前記利用者の位置情報に基づいて、前記個人情報を検索し、ガイド内容の配信が希望された前記観光対象のみに関する前記ガイド内容を前記移動体端末に配信することを特徴とする観光情報配信装置。
【請求項２】
前記利用者の第１の位置情報を取得してから、前記第１の位置情報に対応する前記ガイド内容を配信するまでの間に、前記利用者の新たな第２の位置情報を取得した場合に、前記第１の位置情報に基づく、前記ガイド内容の配信動作を終了する、請求項１に記載の観光情報配信装置。
【請求項３】
前記観光対象のマップデータが登録されたマップ記録装置を備え、
前記処理部は、前記利用者の位置情報と前記マップデータとを照合し、その結果に基づいて前記ガイド内容が登録されたガイド内容記録装置から対応する前記ガイド内容を読み出す、請求項１または２に記載の観光情報配信装置。
【請求項４】
利用者の位置情報を取得し、前記利用者の位置情報をネットワークを介して送信可能な移動体端末と、
観光地に存在する複数の観光対象に関するガイド内容が登録されたガイド内容記録装置と、前記利用者の位置情報を取得し、前記利用者の位置情報に基づいて前記ガイド内容記録装置から前記位置情報に対応する前記ガイド内容を読み出し、前記ネットワークを介して前記移動体端末に前記読み出されたガイド内容を配信する処理部とを備えた観光情報配信装置とを有する観光情報配信システムにおいて、
前記観光情報配信装置は、
前記複数の観光対象のうちから選択され、前記利用者がそのガイド内容の配信を希望する観光対象についての情報を含む個人情報が登録される個人情報記録装置を備え、
前記処理部が、前記利用者の位置情報に基づいて、前記個人情報を検索し、ガイド内容の配信が希望された前記観光対象のみに関する前記ガイド内容を前記移動体端末に配信することを特徴とする観光情報配信システム。
【請求項５】
前記観光情報配信装置は、
前記利用者の第１の位置情報を取得してから、前記第１の位置情報に対応する前記ガイド内容を配信するまでの間に、前記利用者の新たな第２の位置情報を取得した場合に、前記第１の位置情報に基づく、前記ガイド内容の配信動作を終了する、請求項４に記載の観光情報配信システム。
【請求項６】
前記観光情報配信装置は、
前記観光対象のマップデータが登録されたマップ記録装置を備え、
前記処理部は、前記利用者の位置情報と前記マップデータとを照合し、その結果に基づいて前記ガイド内容が登録されたガイド内容記録装置から対応する前記ガイド内容を読み出す、請求項４または５に記載の観光情報配信システム。
【請求項７】
前記移動体端末はＧＰＳ（Global  Positioning  System）機能を備えたものであって、
ＧＰＳ衛星からの電波を一定時間ごとに受信するＧＰＳ受信部、前記ネットワークに対してデータの送受信を行う送受信部、前記観光情報配信から配信される前記ガイド内容を表示する表示部、および、前記ＧＰＳ受信部で受信したＧＰＳの位置情報を一定時間ごとに自動的に前記ネットワークを介して前記観光情報配信装置に送信させる制御部を備えている、請求項４ないし６のいずれか１項に記載の観光情報配信システム。
【発明の詳細な説明】
【技術分野】
【０００１】
本発明は、利用者の位置情報を取得可能な移動体端末を利用して、その取得された位置情報に応じた特定の情報を配信する観光情報配信装置および観光情報配信システムに関する。
【背景技術】
【０００２】
従来、利用者の位置情報を取得可能な移動体端末、例えばＧＰＳ（Global  Positioning  System）機能を備えた携帯電話などを用いて現在の位置情報を取得し、その位置情報に応じた特定の情報をその移動体端末に配信する情報配信システムが種々提案されている。
【０００３】
このような情報配信システムは、例えば、動物園や観光地におけるガイドサービス等に利用されている。図７は、利用者の移動体端末１１０にガイド内容を配信する観光情報配信システムの構成の一例を示している。
【０００４】
図７の観光情報配信システム１０１は、移動体端末１１０と、インターネット等のネットワーク１５０を介してその移動体端末１１０が接続される観光情報配信装置１２０とを備えている。
【０００５】
移動体端末１１０は、例えばＧＰＳ機能を備えた携帯電話機であり、現在の位置情報を取得し、その位置情報をネットワーク１５０を介して、例えば一定時間ごとに自動的に観光情報配信装置１２０に送信する機能を備えている。
【０００６】
観光情報配信装置１２０は、マップ記録装置１２２ａと、ガイド内容記録装置１２２ｂと、それら記録装置１２２ａ、１２２ｂの両方に接続された処理部１２１とを備えている。
【０００７】
マップ記録装置１２２ａには、観光地のマップデータ等が予め登録されている。ガイド内容記録装置１２２ｂには、その観光地に存在する観光対象に関する情報（ガイド内容）が予め登録されている。
【０００８】
処理部１２１は、移動体端末１１０から送信された利用者の現在の位置情報に応じて、ガイド記録装置１２２ａおよびガイド内容記録装置１２２ｂを検索し、ガイド内容記録装置１２２ｂから対応するガイド内容を取得し、そのガイド内容をネットワーク１５０を介して移動体端末１１０に配信する機能を備えている。
【０００９】
このように構成された観光情報配信システム１０１は次のように動作する。
【００１０】
利用者が移動体端末１１０を携帯しながら所定の観光地を移動すると、利用者の現在位置がＧＰＳの位置情報として一定時間ごとに観光情報配信装置１２０に送信され、処理部１２１で受信される。処理部１２１は、その位置情報に基づいてマップ記録装置１２２ａに予め登録されているマップデータを検索する。処理部１２１は、移動体端末１１０が所定の観光対象に近接した位置にある場合に、ガイド内容記録装置１２２ｂからその観光対象に関するガイド内容を読み出し、そのガイド内容をネットワーク１５０を介して移動体端末１１０に配信する。
【００１１】
このように、観光情報配信システム１０１では、移動体端末１１０を携帯しながら観光地を移動する利用者に対し、その現在位置に適したガイド内容を送信することができる。
【００１２】
上述のような、利用者の現在位置に基づいて特定の情報を配信するシステムは例えば特許文献１にも提案されている。
【特許文献１】特願２００２―２４５０７７号公報
【発明の開示】
【発明が解決しようとする課題】
【００１３】
しかしながら、上述のような情報配信システムでは、観光地に複数存在する観光対象に近づくと、常にその観光対象に関するガイド内容が移動体端末に送信されるため、利用者が興味のない無駄な情報が配信される場合があった。
【００１４】
そこで本発明は、移動体端末に対して無駄な情報を配信することを防止した観光情報配信装置および観光情報配信システムを提供することを目的とする。
【課題を解決するための手段】
【００１５】
上記目的を達成するため本発明による観光情報配信装置は、観光地に存在する複数の観光対象に関するガイド内容が登録されたガイド内容記録装置と、移動体端末からネットワークを介して送信された利用者の位置情報を取得し、前記利用者の位置情報に基づいて前記ガイド内容記録装置から前記位置情報に対応する前記ガイド内容を読み出し、前記ネットワークを介して前記移動体端末に前記読み出されたガイド内容を配信する処理部とを備えた観光情報配信装置において、前記複数の観光対象のうちから選択され、前記利用者がそのガイド内容の配信を希望する観光対象についての情報を含む個人情報が登録される個人情報記録装置を備え、前記処理部が、前記利用者の位置情報に基づいて、前記個人情報を検索し、ガイド内容の配信が希望された前記観光対象のみに関する前記ガイド内容を前記移動体端末に配信することを特徴とする。
【００１６】
また、本発明による観光情報配信装置に対して、利用者の位置情報を取得し、前記利用者の位置情報をネットワークを介して送信可能な移動体端末がネットワークを介して接続されることにより本発明による観光情報配信システムが構成される。
【００１７】
本発明の観光情報配信装置および観光情報配信システムによれば、利用者が、その「個人情報」として、複数の観光対象のうちからそのガイド内容の配信を希望する観光対象のみを予め選択しているため、希望した観光対象のみに関するガイド内容が配信される。したがって、利用者の移動体端末に無駄な情報が配信されることが防止される。
【発明の効果】
【００１８】
本発明の観光情報配信装置および観光情報配信システムによれば、ガイド内容の配信を希望する観光対象を予め選択可能とすることにより、利用者の移動体端末に無駄なガイド内容が配信されることを防止したため、利用者はより楽しく効率的に観光できるようになる。
【発明を実施するための最良の形態】
【００１９】
以下、本発明の実施の形態について図面を参照して説明する。図１は、本発明の一実施形態による観光情報配信システム１の構成を示す図である。
【００２０】
図１の観光情報配信システム１は、図７に示した従来の観光情報配信システム１０１と同様に、移動体端末１０と、インターネット等のネットワーク５０を介して移動体端末１０が接続される観光情報配信装置２０とを備えている。なお、図１では、説明を簡単にするため１つの移動体端末１０のみを図示しているが、移動体端末１０の数は１つに限定されるものではない。
【００２１】
移動体端末１０は、例えばＧＰＳ機能を備えた携帯電話機や、同機能を備えた携帯型のパーソナルコンピュータなど、利用者が携帯して移動可能なものである。移動体端末１０は、いずれも図示しないが、ＧＰＳ衛星からの電波を一定時間ごとに受信するＧＰＳ受信部、ネットワーク５０に対してデータの送受信を行う送受信部、観光情報配信装置２０から配信されるガイド内容を表示する表示部、およびこれらの駆動を制御する制御部を有しており、制御部はＧＰＳ受信部で受信したＧＰＳの位置情報を一定時間ごとに自動的にネットワーク５０に対して送信するように各部を制御する。また、移動体端末１０は、位置情報の送信や、観光情報配信装置２０から配信されたガイド内容の閲覧等を可能にするためのウェブブラウザ等のソフトウェアを備えている。
【００２２】
観光情報配信装置２０は、例えばサーバ等の情報処理装置であり、マップ記録装置２２ａ、ガイド内容記録装置２２ｂ、および処理部２１を備え、さらに、利用者の「個人情報」を格納する個人情報記録装置２２ｃを新たに備えている。各記録装置２２ａ、２２ｂ、２２ｃと処理部２１とはいずれも相互に接続されている。
【００２３】
マップ記録装置２２ａには、所定の観光地のマップデータが予め登録されている。
【００２４】
図２は、「観光地」における各データを例示的に示したものである。このマップデータ２５ａに示すように、「観光地」には、複数の「立寄りスポット」が存在するものとし、さらにその「立寄りスポット」ごとに複数の「観光ポイント」が存在するものとする。「立寄りスポット」および「観光ポイント」はいずれも本発明における「観光対象」として取り扱うことが可能であるが説明を簡単にするため、以下、図１の観光情報配信システム１は「立寄りスポット」を「観光対象」として、利用者は複数の「立寄りスポット」のうちから希望の「立寄りスポット」のみを選択するものとして説明する。
【００２５】
マップデータ２５ａは、各「観光ポイント」（例えば、Ａ寺における井戸、門、仏像など）の情報と、それぞれの「観光ポイント」の位置情報である「ＧＰＳ区分」の情報と、それぞれの「観光ポイント」に対応したガイド内容についての「ガイド内容コード」とを含んでいる。
【００２６】
「ガイド内容コード」は、後述するガイド内容（図４参照）と、図２の各「観光ポイント」とを関連付ける識別子として機能するものである。
【００２７】
図３は、「立寄りスポット」の１つである「Ａ寺」の全体を示すマップであり、このマップ３０で例示的に示すように、マップ３０は複数のＧＰＳ区分３０ａに区画されている。また、井戸、門、仏像などの「観光ポイント」に対応したＧＰＳ区分３０ａの位置情報が、図２のマップデータ２５ａの「ＧＰＳ区分」に登録されている。
【００２８】
ガイド内容記録装置２２ｂには、図４に示すような、各「観光ポイント」ごとのガイド内容が、音声（ガイドアナウンス）、画像（写真など）、文字といった情報形態で予め登録されている。図４（ａ）に示すガイド内容２５ｂは、文字情報であるガイド内容Ａと、画像情報であるガイド内容Ｂとを含んでおりそれらのガイド内容が組み合わされて、図４（ｂ）に示すような最終のガイド内容が生成される。
【００２９】
個人情報記録装置２２ｃには、図５に示すような個人情報２５ｃが登録される。個人情報２５ｃは、ガイド内容の配信先である利用者端末１０の「アドレス（Ｅメールアドレス）」と、利用者がガイド内容の配信を希望する「立寄りスポット」の情報と、利用者がガイド内容の配信を希望する期間である「配信期間」の情報とを含んでいる。なお、「個人情報」は、これらの項目の他にも、「氏名」、「性別」、「年齢」などを含むようにしてもよい。
【００３０】
個人情報２５ｃの登録は、移動体端末１０のウェブブラウザ等のソフトウェアを起動して、移動体端末１０からネットワーク５０を介して観光情報配信装置２０に接続し、そこに配置されたホームページ上で上記各項目の入力を行うことにより実施可能である。また、当然ながら家庭のパーソナルコンピュータ等から同ホームページに接続して登録するものであってもよい。
【００３１】
処理部２１は、上記各記録装置２２ａ、２２ｂ、２２ｃに対して新規なデータを登録する機能と、移動体端末１０から送信された、移動体端末１０の位置情報に基づいて各記録装置２２ａ、２２ｂ、２２ｃ内を検索して登録されたデータのうちから所望のデータを読み出す機能と、読み出したそのデータをネットワーク５０を介して移動体端末１０に送信する機能とを備えている。
【００３２】
上述のように構成された観光情報配信システム１の動作について、図６に示すフローチャートを参照して以下に説明する。なお、利用者の個人情報は図５に示した個人情報２５ｃとし、「Ａ寺」の観光ポイントおよびマップは、それぞれ図２、図３に示したものとする。また、利用者は「立寄りスポット」のうちの「Ａ寺」のみを選択したものとする。
【００３３】
まず利用者は、観光に先だって、図１の観光情報配信システム１のサービスの提供を受けるため、移動体端末１０を用いて、個人情報２５ｃ（図５参照）を観光情報配信装置２０の処理部２１に対して送信する（Ｓ１）。すると、処理部２１によってその個人情報２５ｃが個人情報記録装置２２ｃに登録される（Ｓ２）。
【００３４】
次いで、利用者は、その個人情報２５ｃが個人情報記録装置２２ｃに登録された状態で、移動体端末１０を携帯しながら観光地を観光する。そして、移動体端末１０を、現在の位置情報を観光情報配信装置２０に対し一定時間ごとに自動的に送信するように駆動させることにより、移動体端末の位置情報、すなわち、利用者の位置情報が自動的に処理部２１に送信される（Ｓ３）。
【００３５】
次いで、処理部２１は、そのＧＰＳの位置情報に基づいて個人情報記録装置２２ｃ内を検索して、利用者の現在の位置が、予め登録された個人情報２５ｃの「立寄りスポット（観光対象）」である「Ａ寺」内かどうかを判断する（Ｓ４）。
【００３６】
利用者の現在の位置が「Ａ寺」内にないとき、観光情報配信システム1はガイド内容の配信動作を終了する。
【００３７】
利用者の現在の位置が「Ａ寺」内のとき、処理部２１はマップ記録装置２２ｂ内のマップデータ２５ａ（図２または図３参照）を検索する（Ｓ５）。
【００３８】
次いで、処理部２１は、その利用者の現在の位置が、「Ａ寺」内の「観光ポイント（井戸、門、仏像）」のいずれかのＧＰＳ区分３０ａ（図３参照）内かどうかを判断する（Ｓ６）。
【００３９】
利用者の現在の位置が「観光ポイント（井戸、門、仏像）」の存在するいずれのＧＰＳ区分内でもないとき、観光情報配信システム1はガイド内容の配信動作を終了する。
【００４０】
利用者の現在の位置が「観光ポイント（井戸、門、仏像）」の存在するいずれかのＧＰＳ区分内のとき、処理部２１は、マップデータ２５ａ（図２参照）内の「ガイド内容コード」に基づいて、ガイド内容記録装置２２ｂ内を検索し、例えば図４（ｂ）に示すような「観光ポイント（門）」に対応したガイド内容を生成する（Ｓ７）。
【００４１】
次いで、処理部２１は、このようにして生成されたガイド内容を、ネットワーク５０を介して移動体端末１０に即時送信する（Ｓ８）。これにより、観光ポイントに対応した、図４（ｂ）に示すような、ガイド内容が移動体端末１０の表示部（不図示）で表示され、利用者に取得される。
【００４２】
以上の一連の動作は、移動体端末１０から現在の位置情報を一定時間ごとに受信するたびに行われるものであってもよい。これにより、利用者の位置に適したガイド内容がリアルタイムに配信される。したがって、利用者が１つの観光ポイントを見終わって、他の観光ポイントに近づくと、上述の一連の動作により他の観光ポイントのガイド内容が移動体端末に新たに送信される。
【００４３】
以上説明した観光情報配信システム１では、利用者が、その「個人情報」として、複数の「立寄りスポット」のうちからガイド内容の配信を希望する「立寄りスポット」のみを予め選択しているため、希望した「立寄りスポット」に関するガイド内容のみが配信される。したがって、利用者の移動体端末１０に無駄な情報が配信されることが防止される。
【００４４】
本情報配信システム１は、より詳細には、次のように動作するものであってもよい。例えば、ある時点での利用者の位置情報（第１の位置情報）を取得してから、その位置情報に対応するガイド内容を移動体端末１０に配信するまでの間に、利用者の新たな位置情報を取得した場合、観光情報配信システム１はその時点で先の位置情報に基づく、ガイド内容の配信動作を終了するものであることが好ましい。これにより、無駄な情報の配信が防止される。なお、「ガイド内容の配信動作」とは、ガイド内容を移動体端末１０に配信する動作のみならず、ガイド内容を生成する動作も含むものとする。
【００４５】
本情報配信システム１において、移動体端末１０から観光情報配信装置２０に対する位置情報の自動送信は、より詳細には、移動体端末１０側で自動送信する期間（例えば、図２の「配信期間」に合わせて２００３／１０／１〜２００３／１０／３）を設定するものであってもよく、この場合、「配信期間」内かどうかの判断は図６に示した一連の工程のうちの、個人情報の検索の工程（Ｓ４）内で期間的な条件を判断してもよい。
【図面の簡単な説明】
【００４６】
【図１】本発明の一実施形態による観光情報配信システムの構成を示す図である。
【図２】マップ記録装置に格納されるマップデータの一例を示す図である。
【図３】立寄りスポットの１つである「Ａ寺」の全体を示すマップである。
【図４】図１の情報配信システムにより配信されるガイド内容の一例を示す図である。
【図５】個人情報記録装置に格納される、利用者の個人情報の一例を示す図である。
【図６】図１の情報配信システムの動作を説明するためのフローチャートを示す図である。
【図７】従来の観光情報配信システムの構成の一例を示す図である。
【符号の説明】
【００４７】
１  観光情報配信システム
１０  移動体端末
２０  観光情報配信装置
２１  処理部
２２ａ  マップ記録装置
２２ｂ  ガイド内容記録装置
２２ｃ  個人情報記録装置
２５ａ  マップデータ
２５ｂ  ガイド内容
２５ｃ  個人情報
３０  マップ
３０ａ  ＧＰＳ区分
５０  ネットワーク
【図１】
2005157977.tif 000003
【図２】
2005157977.tif 000004
【図３】
2005157977.tif 000005
【図４】
2005157977.tif 000006
【図５】
2005157977.tif 000007
【図６】
2005157977.tif 000008
【図７】
2005157977.tif 000009